【事件の表示】
　特願２０００−１３２３２０「改善されたインクジェット性能のための界面活性剤」拒絶査定不服審判事件〔平成１２年１２月２６日出願公開、特開２０００−３５５６６９〕について、次のとおり審決する。
【結　論】
　本件審判の請求は、成り立たない。
【理　由】
第１　手続の経緯
　本件出願（以下「本願」という。）は、平成１２年５月１日（パリ条約に基づく優先権主張、１９９９年４月３０日：米国）の特許出願であって、以降の手続の経緯は以下のとおりのものである。
　
　平成１３年１０月３０日　　　　手続補正書
　平成１６年　２月２７日付け　　拒絶理由通知
　平成１６年　９月　２日　　　　意見書・手続補正書・手続補足書
　平成１８年　５月２４日付け　　拒絶査定
　平成１８年　８月２８日　　　　本件審判請求
　平成１８年　９月２６日　　　　手続補正書
　平成１８年１１月１３日　　　　手続補正書（審判請求理由補充書）
　平成１８年１１月２８日付け　　前置審査移管
　平成１８年１２月１５日付け　　拒絶理由通知
　平成１９年　６月１９日　　　　意見書
　平成１９年　７月　９日付け　　前置報告書
　平成１９年　７月１３日付け　　前置審査解除
　平成２０年　５月２１日付け　　審尋
　平成２０年１１月２７日　　　　回答書
　
第２　平成１８年９月２６日付け手続補正の却下の決定
　
Ｉ．補正の内容
　上記手続補正では、特許請求の範囲につき以下の補正がなされている。
　
１．補正前
「【請求項１】　少なくとも１つのラメラを形成する界面活性剤を含み、当該ラメラは約１／３から約１の範囲にある臨界充填パラメータを有するインクジェット流体組成物。
【請求項２】　前記臨界充填パラメータが、約０．５から約１．０の範囲にある、請求項１に記載の液体組成物。
【請求項３】　前記臨界充填パラメータが、約０．８から約１．０の範囲にある、請求項２に記載の液体組成物。
【請求項４】　前記界面活性剤が、式、
【化７】
　　　　　　　　　　Ｒ１−Ｌ−Ｒ２　　　　　　（式Ｉ）
（式中、Ｒ１は、Ｃ８〜Ｃ５０含有の１より多い基を有する一つの基又はバックボーン（ｂａｃｋｂｏｎｅ）を含む疎水性の部分（ｍｏｉｅｔｙ）であるか；又は同一分子中の約８から約５０個のメチレン又はメチン単位の少なくとも２つの疎水性の鎖の１組で且つポリヒドロキシ骨格を有するものであり；
　Ｌは、結合基であり；そして
　Ｒ２は、親水性の部分（ｍｏｉｅｔｙ）である。）を有する、請求項１に記載の液体組成物。
【請求項５】　Ｒ１が、ステロール骨格（ｓｋｅｌｅｔｏｎ）；ソイステロール；フコステロール；ベータシトステロール；カンペステロール；スチグマステロール；コレステロール；ビタミンＥ；スクロースジステラート；グリセリルＣ８〜Ｃ５０エステル、エーテル、及びアミド；ソルビチルＣ８〜Ｃ５０エステル、エーテル、及びアミド；グルコースＣ８〜Ｃ５０のエステル、アミド、及びエーテルから成る群より選択される、請求項４に記載の液体組成物。
【請求項６】　Ｌが、エーテル、エステル、又はアミドである、請求項４に記載の液体組成物。
【請求項７】　Ｒ２が、カルボン酸塩；硫酸塩；又はリン酸塩である、請求項４に記載の液体組成物。
【請求項８】　前記界面活性剤が、Ｇｅｎｅｒｏｌ、コレステロール、及びビタミンＥからなる群より選択され、且つ、それらの親水基がカルボン酸塩、コハク酸塩、又はＰＥＧ３−１０００誘導体である、請求項４に記載の液体組成物。
【請求項９】　前記液体組成物がインクである、請求項１から８のいずれかに記載の液体組成物。
【請求項１０】　前記液体組成物が、固定化剤をさらに含有する反応流体である、請求項１から８のいずれかに記載の液体組成物。」
（以下、各請求項毎に「旧請求項１」〜「旧請求項１０」という。）
　
２．補正後　
「【請求項１】　少なくとも１つのラメラを形成する界面活性剤（ビタミンＥ及びコール酸を除く）を含み、当該ラメラは約１／３から約１の範囲にある臨界充填パラメータを有するインクジェット流体組成物。
【請求項２】　前記臨界充填パラメータが、約０．５から約１．０の範囲にある、請求項１に記載の液体組成物。
【請求項３】　前記臨界充填パラメータが、約０．８から約１．０の範囲にある、請求項２に記載の液体組成物。
【請求項４】　前記界面活性剤が、式、
　　　　　　　Ｒ１−Ｌ−Ｒ２　　　　　　（式Ｉ）
（式中、Ｒ１は、Ｃ８〜Ｃ５０含有の１より多い基を有する一つの基又はバックボーン（ｂａｃｋｂｏｎｅ）を含む疎水性の部分（ｍｏｉｅｔｙ）であるか；又は同一分子中の約８から約５０個のメチレン又はメチン単位の少なくとも２つの疎水性の鎖の１組で且つポリヒドロキシ骨格を有するものであり；
　Ｌは、結合基であり；そして
　Ｒ２は、親水性の部分（ｍｏｉｅｔｙ）である。）を有する、請求項１に記載の液体組成物。
【請求項５】　Ｒ１が、ステロール骨格（ｓｋｅｌｅｔｏｎ）；ソイステロール；フコステロール；ベータシトステロール；カンペステロール；スチグマステロール；コレステロール；スクロースジステラート；グリセリルＣ８〜Ｃ５０エステル、エーテル、及びアミド；ソルビチルＣ８〜Ｃ５０エステル、エーテル、及びアミド；グルコースＣ８〜Ｃ５０のエステル、アミド、及びエーテルから成る群より選択される、請求項４に記載の液体組成物。
【請求項６】　Ｌが、エーテル、エステル、又はアミドである、請求項４に記載の液体組成物。
【請求項７】　Ｒ２が、カルボン酸塩；硫酸塩；又はリン酸塩である、請求項４に記載の液体組成物。
【請求項８】　前記界面活性剤が、Ｇｅｎｅｒｏｌ及びコレステロールからなる群より選択され、且つ、それらの親水基がカルボン酸塩、コハク酸塩、又はＰＥＧ３−１０００誘導体である、請求項４に記載の液体組成物。
【請求項９】　前記液体組成物がインクである、請求項１から８のいずれかに記載の液体組成物。
【請求項１０】　前記液体組成物が、固定化剤をさらに含有する反応流体である、請求項１から８のいずれかに記載の液体組成物。」
（以下、各請求項毎に「新請求項１」〜「新請求項１０」という。）
　
ＩＩ．補正事項に係る検討
　
１．新規事項の追加の有無
　まず、上記新請求項１〜新請求項１０に記載された各事項が、本願の願書に最初に添付した明細書に記載した事項の範囲内のものかにつき検討すると、旧請求項１に記載された「ラメラを形成する界面活性剤」について、新請求項１において「（ビタミンＥ及びコール酸を除く）」ことを追加し、当該界面活性剤の使用できる種類を減少させているのみであって、新請求項２ないし１０は、新請求項１を引用するものであるから、上記各新請求項における記載事項は、全ての事項につき上記明細書に記載した事項のみである。
　したがって、上記手続補正は、本願の願書に最初に添付した明細書に記載した事項の範囲内においてしたものである。
　
２．補正の目的の適否
　次に、上記手続補正は、本件審判請求の日から３０日以内になされたものであって、特許請求の範囲に係るものであるので、平成１４年法律第２４号改正附則第３条第１項によりなお従前の例によるとされる同法による改正前（以下「平成１４年改正前」という。）の特許法第１７条の２第４項各号に掲げる事項を目的とするものか否かにつき検討する。
　上記手続補正では、旧請求項２ないし１０が引用する旧請求項１に記載された「ラメラを形成する界面活性剤」について、新請求項１において「（ビタミンＥ及びコール酸を除く）」ことを追加し、当該界面活性剤の使用できる種類を減少させているのみであるとともに、補正の前後に係る旧各請求項と新各請求項とは、各項記載の発明の属する技術分野を同じくするものであるから、補正前の請求項に記載した事項を限定するものといえる。
　してみると、旧請求項１ないし１０から新請求項１ないし１０への補正について、特許請求の範囲を限定的に減縮するものといえる。
　したがって、上記手続補正は、平成１４年改正前の特許法第１７条の２第４項第２号に掲げる事項を目的とするものとはいえる。
　
３．独立特許要件
　上記２．のとおり、上記手続補正は、平成１４年改正前の特許法第１７条の２第４項第２号に掲げる事項を目的とするものであるから、新請求項１〜１０に記載された各発明が、特許出願の際独立して特許を受けることができるものであるか否かについて検討する。
　
（１）新請求項１に係る発明
　新請求項１に係る発明は、再掲すると以下のとおりの記載事項により特定されるものである。
「少なくとも１つのラメラを形成する界面活性剤（ビタミンＥ及びコール酸を除く）を含み、当該ラメラは約１／３から約１の範囲にある臨界充填パラメータを有するインクジェット流体組成物。」（以下「本件補正発明」という。）
　
（２）検討
　しかるに、本件補正発明については、下記の理由により特許出願の際独立して特許を受けることができるものではない。
　
　上記手続補正後の本願は、特許請求の範囲の記載が下記の点で不備であるから、特許法第３６条第６項に規定の要件を満たしていない。
　
　　　　　　　　　　　　　　　　　記
　
ア．検討するにあたって（前提）
　特許法第３６条第６項には、「第二項の特許請求の範囲の記載は、次の各号に適合するものでなければならない。」と規定され、同条同項第１号には、「特許を受けようとする発明が発明の詳細な説明に記載したものであること。」と規定されている。
　そして、特許請求の範囲の記載が、上記「第１号」に係る規定（いわゆる「明細書のサポート要件」）に適合するか否かは、特許請求の範囲の記載と発明の詳細な説明の記載とを対比し、特許請求の範囲に記載された発明が、発明の詳細な説明に記載された発明で、発明の詳細な説明の記載により当業者が当該発明の課題を解決できると認識できるものであるか否か、また、その記載や示唆がなくとも当業者が出願時の技術常識に照らし当該発明の課題を解決できると認識できる範囲のものであるか否かを検討して判断すべきものであり、さらに、発明の詳細な説明に、当業者が当該発明の課題を解決できると認識できる程度に、具体例を開示せず、特許出願時の当業者の技術常識を参酌しても、特許請求の範囲に記載された発明の範囲まで、発明の詳細な説明に開示された内容を拡張ないし一般化できるとはいえないのに、特許出願後に実験データを提出して発明の詳細な説明の記載内容を記載外で補足することによって、その内容を特許請求の範囲に記載された発明の範囲まで拡張ないし一般化し、明細書のサポート要件に適合させることは、発明の公開を前提に特許を付与するという特許制度の趣旨に反し許されないというべきである（知財高裁特別部判決平成１７年（行ケ）第１００４２号参照。）から、以下当該観点に基づいて検討する。
　
イ．上記手続補正後の本願明細書の記載について
　
（ア）「【従来の技術及び発明が解決しようとする課題】
　インクジェット印刷システムの使用は、近年、劇的に増大した。この増大は、目に見えるコストの低減と相まって、印刷解像度及び全体的な印刷品質の十分な改善によるものと考えられ得る。今日のインクジェットプリンタは、多くの産業、商業、事業、及び居住の各用途に許容され得る印刷品質を、わずか数年前に入手可能であった比較製品より、完全に一桁低い費用で提供する。それら近年の成功にも関わらず、インクジェット画像の印刷品質の改善に向けて集約的な研究及び開発努力が継続されている。従って、インクジェットインクの性能をさらに改善するという目標が残っている。」（【０００２】）
　
（イ）「【課題を解決するための手段】
　一般に、界面活性剤は、疎水性（水とうまく結合しない、油様）及び親水性（水とうまく結合する、水様）として分類できる２つの異なる領域を含む分子である。界面活性剤は、・・（中略）・・である。インクに界面活性剤を使用することにより、ブリード抑制(bleed control)（即ち、ブリードの軽減）などの特質を改善し得ることが知られている。しかし、彩度(chroma)即ち、色飽和度を改善する界面活性剤は、これまで知られていない。本発明は、いくつかの画像品質属性、特に彩度（即ち、色飽和度）を改善するのに役立つ界面活性剤、及びそれを使って調合された、改善された彩度、ブリード抑制、縁部明瞭度(edge-acuity)、及び表面保持率などの好ましい諸性質を示し、それにより、画像品質を改善するインクジェットインクに関するものである。」（【０００３】）
　
（ウ）「何らかの特定の理論を持ち出すまでもなく、インク膜が乾燥する間に媒体表面上に二重膜(bilayers)又はベシクル(vesicles)などの大きい凝集体(aggregate)構造を迅速に形成する界面活性剤は、本発明の実施に際して有用であることが期待される。これらの構造（例えば、ラメラ(lamellae)又はベシクル）は、インク中に必ずしも存在しないが、溶媒の乾燥中のある時点で形成され、従って、観察された、向上した印刷属性がもたらされる。界面活性剤の挙動及び期待される臨界充填(critical packing)パラメータ値に関する一般的な説明を以下に記述する。」（【０００４】）
　
（エ）「【発明の実施の形態】
　本発明は、ラメラ相(lamella phase)を形成でき、米国デラウェア州所在のヒューレット・パッカード・カンパニー製ＤＥＳＫＪＥＴ（登録商標）プリンタなどの市販のインクジェットプリンタ、及びその他の市販されている家庭用あるいは事務用インクジェットプリンタで使用するためのインクジェットインクに使用した場合、媒体のある範囲にわたって、増大された彩度、より強い縁部明瞭度、強化されたブリード軽減、及び表面保持率を示す界面活性剤、を用いて調合されたインクジェットインクに関する。」（【０００７】）
　
ウ．本件補正発明に係る解決課題について
　上記イ．の（ア）〜（エ）に基づき、本件補正発明に係る解決課題につき検討する。
　従来から、インクジェット画像の印刷品質の改善に向けて集約的な研究及び開発努力が継続されており（上記（ア））、インクに界面活性剤を使用することにより、ブリード抑制などの特質を改善し得ることが知られているが、彩度、すなわち色飽和度を改善する界面活性剤は知られていないところ（上記（イ））、ラメラ相を形成でき二重膜又はベシクルなどの大きい凝集体構造を迅速に形成する臨界充填パラメータ値を有する界面活性剤を使用することにより、増大された彩度、より強い縁部明瞭度、強化されたブリード軽減、及び表面保持率を示し、画像品質を改善するインクジェットインク（上記（イ）〜（エ））を提供することを目的としているものといえる。
　したがって、本件補正発明に係る解決課題は、「特定の界面活性剤を含有することによる増大された彩度などを示し、画像品質が改善されたインクジェットインクを提供」することにあるものといえる。
　
エ．新請求項１の記載と本件補正後の明細書の発明の詳細な説明の記載との対比
　
（ア）新請求項１の記載
　新請求項１には、「少なくとも１つのラメラを形成する界面活性剤（ビタミンＥ及びコール酸を除く）を含み、当該ラメラは約１／３から約１の範囲にある臨界充填パラメータを有するインクジェット流体組成物」が記載されている。
　しかるに、上記新請求項１における「当該ラメラは、・・の範囲にある臨界充填パラメータを有する」の部分につき検討すると、本件補正後の明細書の発明の詳細な説明の「本発明の界面活性剤は、約１／３〜１．０・・の範囲の臨界充填パラメータ（CPP：数式Ｉを参照）を有する。」（【０００８】）なる記載からみて、「臨界充填パラメータ」を有するのは、「界面活性剤」、さらに詳しくは「界面活性剤分子」であることは明らかであるから、上記新請求項１の記載における「ラメラ」は、「界面活性剤」の誤記であるものといえる。
　したがって、新請求項１における「当該ラメラ」なる記載は、「当該界面活性剤」なる記載であるとすべきものであるから、新請求項１には、
「少なくとも１つのラメラを形成する界面活性剤（ビタミンＥ及びコール酸を除く）を含み、当該界面活性剤は約１／３から約１の範囲にある臨界充填パラメータを有するインクジェット流体組成物」
が記載されているとするのが相当である。
　
（イ）対比・検討
　本件補正後の明細書の発明の詳細な説明の記載を検討すると、当該明細書には、特定の凝集体構造（ラメラ）を構成する界面活性剤を使用することによりインクの印刷属性が改善されると予想されること（【０００８】）、界面活性剤の臨界充填パラメータの技術的意義ないし当該界面活性剤に係る凝集体の構造（【０００８】〜【００１１】）、界面活性剤の選択できる範囲ないしその構造の技術的特徴（【００１２】〜【００１６】）及び使用できる界面活性剤の具体例（【００１７】〜【００２７】）につき記載され、界面活性剤の使用の有無に関する実施例及び比較例についても記載されている（【００３８】〜【００４４】）。
　しかしながら、当該明細書には、使用する界面活性剤（分子）の具体的構造と臨界充填パラメータとの関係及び特定構造の凝集体（ラメラ）の生成の確認に係る記載はなく、実施例において使用された界面活性剤の種類及びその臨界充填パラメータの値についても記載されていない。
　また、当該明細書には、特定の臨界充填パラメータを有し特定構造の凝集体を形成する界面活性剤を使用することにより、インクの印刷属性に影響を与えるとすべき技術的根拠（理論）について記載されていない。
　してみると、本件補正後の明細書の発明の詳細な説明には、特定の臨界充填パラメータを有し特定構造の凝集体を形成する界面活性剤を使用することにより、インクの印刷属性を改善することについて、具体的に記載されていない。
　さらに、当業者の技術常識につき検討すると、界面活性剤につき、その臨界充填パラメータの値に基づいて特定の凝集構造（ミセル）となることは、あくまで水などの分散媒体に界面活性剤のみを臨界ミセル濃度以上の濃度となるように分散（溶解）させた状態における現象である（必要ならば下記参考文献参照。）から、水などの分散媒体に対して着色剤などの多種多岐にわたる親水性−疎水性を有する複数の成分が混在する「インクジェット（インク）流体組成物」において、「特定の臨界充填パラメータを有し特定構造の凝集体を形成する界面活性剤」を使用したからといって、同様の凝集構造（ミセル）が生成するか否かは当業者にとっても不明である。
　そして、ほかに、特定の臨界充填パラメータを有し特定構造の凝集体を形成する界面活性剤を使用することにより、インクの印刷属性が改善されるであろうことを想起させる技術常識が存するものともいえない。
　してみると、本件補正後の明細書の発明の詳細な説明の記載について、当業者が技術常識を参酌しても、特定の臨界充填パラメータを有し特定構造の凝集体を形成する界面活性剤を使用することにより、インクの印刷属性が改善されるであろうと認識することができるものではない。
　したがって、本件補正後の明細書の発明の詳細な説明には、特定の臨界充填パラメータを有し特定構造の凝集体を形成する界面活性剤を使用することにより、インクの印刷属性が改善されるであろうと当業者が認識することができるように記載されていない。
　
参考文献：堀内照夫ら共編「最新・界面活性剤の機能創製・素材開発・応用技術」２００５年１０月２５日、技術教育出版有限会社発行、第１１８〜１２２頁
（なお、さらに必要であれば上記参考文献で引用されている以下の文献等参照のこと。
　Ｊ．Ｎ．Ｉｓｒａｅｌａｃｈｖｉｌｉ，「Ｉｎｔｅｒｍｏｌｅｃｕｌａｒ　ａｎｄ　Ｓｕｒｆａｃｅ　Ｆｏｒｃｅｓ，ｗｉｔｈ　Ａｐｐｌｉｃａｔｉｏｎｓ　ｔｏ　Ｃｏｌｌｏｉｄａｌ　ａｎｄ　Ｂｉｏｌｏｇｉｃａｌ　Ｓｙｓｔｅｍｓ」，Ａｃａｄｅｍｉｃ　Ｐｒｅｓｓ，Ｌｏｎｄｏｎ，１９８５，ｐ．２４７）
　
（ウ）小括
　以上のとおりであるから、本件補正後の明細書の発明の詳細な説明には、新請求項１に記載された「少なくとも１つのラメラを形成する界面活性剤（ビタミンＥ及びコール酸を除く）を含み、当該界面活性剤は約１／３から約１の範囲にある臨界充填パラメータを有するインクジェット流体組成物」という事項で特定される発明が、本願発明の上記「特定の界面活性剤を含有することによる増大された彩度などを示し、画像品質が改善されたインクジェットインクを提供」するという解決課題を解決できると当業者が認識することができるように記載しているものということができないから、新請求項１に記載された事項で特定される特許を受けようとする発明が、本件補正後の明細書の発明の詳細な説明に記載したものであるということができない。
　
オ．審判請求人の主張について
　なお、審判請求人は、前置審査時の上記説示したものと同旨の理由を含む拒絶理由通知に対する平成１９年６月１９日付け意見書において、本件補正後の明細書の発明の詳細な説明に記載された実施例におけるインクビヒクルの組成及び界面活性剤の種別につき提示するとともに、「また、本願段落００１０には臨界充填パラメータの算出式が記載されていますので、当業者であれば、本願請求項１に記載の「臨界充填パラメータが１／３〜１の範囲にあるラメラを形成するような界面活性剤（ビタミンＥ及びコール酸を除く）」として、Generol 122E25やGenerol 122E5以外に具体的にどのような界面活性剤が包含されるかについて、過度の負担なく決定し得るものと考えます。
　以上の通りですので、本願発明の詳細な説明及び特許請求の範囲の記載は特許法第３６条第４項及び同法第３６条第６項第１号に規定する要件を満たします。」と主張する。
　しかるに、上記エ．の（イ）及び（ウ）で説示したとおり、本件補正後の明細書の発明の詳細な説明には、新請求項１に記載された事項で特定される発明が、本願発明の解決課題を解決できると当業者が認識することができるように記載されていないのである。そして、審判請求人による上記実施例におけるインクビヒクルの組成及び界面活性剤の種別の提示は、明細書に記載された実施例に係る「実験データの特許出願後の提出」に相当するものであって、上記「特許出願後に実験データを提出して発明の詳細な説明の記載内容を記載外で補足することによって、その内容を特許請求の範囲に記載された発明の範囲まで拡張ないし一般化し、明細書のサポート要件に適合させることは、発明の公開を前提に特許を付与するという特許制度の趣旨に反し許されないというべきである（上記知財高裁特別部判決参照。）」とする観点からみて、上記審判請求人の主張を採用すべき根拠として許容できるものではない。
　また、仮に、実施例におけるインクビヒクルの組成及び界面活性剤の種別の提示を認容し、実施例におけるインクが当該組成のものであったとしても、極めて限られた（単一の）種類の界面活性剤を使用した場合に係る記載のみであって、本件補正後の明細書の発明の詳細な説明に、新請求項１に記載された「臨界充填パラメータが１／３〜１の範囲にあるラメラを形成するような界面活性剤（ビタミンＥ及びコール酸を除く）」を使用した場合全てについて、本願発明の解決課題を解決できると当業者が認識することができるように記載されているとはいえない。
　したがって、審判請求人の上記意見書における主張は、上記エ．の（イ）及び（ウ）で説示した当審の検討結果を左右するものではなく、採用する余地がない。
　
カ．まとめ
　以上のとおり、新請求項１の記載は、特許法第３６条第６項第１号の規定に適合していないから、他の請求項につき検討するまでもなく、本件手続補正がされた本願は、特許法第３６条第６項に規定する要件を満たしていない。
　
（３）独立特許要件に係るまとめ
　したがって、本件手続補正がされた本願は、特許法第３６条第６項に規定する要件を満たしていないものであるから、同法第４９条第４号に該当し拒絶すべきものであって、本件手続補正がされた本願の新請求項１ないし１０に係る発明は、特許出願の際独立して特許を受けることができるものではない。
　
ＩＩＩ．補正の却下の決定に係るむすび
　よって、本件手続補正は、平成１４年改正前の特許法第１７条の２第５項で準用する同法第１２６条第５項に規定する要件を満たしていないものであるから、特許法第１５９条第１項で読み替えて準用する同法第５３条第１項の規定により却下すべきものである。
　
第３　本願について
　
Ｉ．本願に係る発明
　平成１８年９月２６日付け手続補正は上記のとおり却下されたので、平成１３年１０月３０日付け及び平成１６年９月２日付けの各手続補正により補正された本願明細書の記載からみて、その特許請求の範囲の請求項１ないし１０に記載された事項は、以下のとおりである。
「【請求項１】　少なくとも１つのラメラを形成する界面活性剤を含み、当該ラメラは約１／３から約１の範囲にある臨界充填パラメータを有するインクジェット流体組成物。
【請求項２】　前記臨界充填パラメータが、約０．５から約１．０の範囲にある、請求項１に記載の液体組成物。
【請求項３】　前記臨界充填パラメータが、約０．８から約１．０の範囲にある、請求項２に記載の液体組成物。
【請求項４】　前記界面活性剤が、式、
【化７】
　　　　　　　　　　Ｒ１−Ｌ−Ｒ２　　　　　　（式Ｉ）
（式中、Ｒ１は、Ｃ８〜Ｃ５０含有の１より多い基を有する一つの基又はバックボーン（ｂａｃｋｂｏｎｅ）を含む疎水性の部分（ｍｏｉｅｔｙ）であるか；又は同一分子中の約８から約５０個のメチレン又はメチン単位の少なくとも２つの疎水性の鎖の１組で且つポリヒドロキシ骨格を有するものであり；
　Ｌは、結合基であり；そして
　Ｒ２は、親水性の部分（ｍｏｉｅｔｙ）である。）を有する、請求項１に記載の液体組成物。
【請求項５】　Ｒ１が、ステロール骨格（ｓｋｅｌｅｔｏｎ）；ソイステロール；フコステロール；ベータシトステロール；カンペステロール；スチグマステロール；コレステロール；ビタミンＥ；スクロースジステラート；グリセリルＣ８〜Ｃ５０エステル、エーテル、及びアミド；ソルビチルＣ８〜Ｃ５０エステル、エーテル、及びアミド；グルコースＣ８〜Ｃ５０のエステル、アミド、及びエーテルから成る群より選択される、請求項４に記載の液体組成物。
【請求項６】　Ｌが、エーテル、エステル、又はアミドである、請求項４に記載の液体組成物。
【請求項７】　Ｒ２が、カルボン酸塩；硫酸塩；又はリン酸塩である、請求項４に記載の液体組成物。
【請求項８】　前記界面活性剤が、Ｇｅｎｅｒｏｌ、コレステロール、及びビタミンＥからなる群より選択され、且つ、それらの親水基がカルボン酸塩、コハク酸塩、又はＰＥＧ３−１０００誘導体である、請求項４に記載の液体組成物。
【請求項９】　前記液体組成物がインクである、請求項１から８のいずれかに記載の液体組成物。
【請求項１０】　前記液体組成物が、固定化剤をさらに含有する反応流体である、請求項１から８のいずれかに記載の液体組成物。」
　しかるに、上記請求項１における「当該ラメラ」は、上記第２のＩＩ．３．（２）エ．（ア）で説示したものと同一の理由により、「当該界面活性剤」の誤記であるものといえる。
　したがって、本願に係る発明は、平成１３年１０月３０日付け及び平成１６年９月２日付けの各手続補正により補正された本願明細書の記載からみて、その特許請求の範囲の請求項１ないし１０に記載された事項により特定される下記のとおりのものである。
「【請求項１】　少なくとも１つのラメラを形成する界面活性剤を含み、当該界面活性剤は約１／３から約１の範囲にある臨界充填パラメータを有するインクジェット流体組成物。
【請求項２】　前記臨界充填パラメータが、約０．５から約１．０の範囲にある、請求項１に記載の液体組成物。
【請求項３】　前記臨界充填パラメータが、約０．８から約１．０の範囲にある、請求項２に記載の液体組成物。
【請求項４】　前記界面活性剤が、式、
【化７】
　　　　　　　　　　Ｒ１−Ｌ−Ｒ２　　　　　　（式Ｉ）
（式中、Ｒ１は、Ｃ８〜Ｃ５０含有の１より多い基を有する一つの基又はバックボーン（ｂａｃｋｂｏｎｅ）を含む疎水性の部分（ｍｏｉｅｔｙ）であるか；又は同一分子中の約８から約５０個のメチレン又はメチン単位の少なくとも２つの疎水性の鎖の１組で且つポリヒドロキシ骨格を有するものであり；
　Ｌは、結合基であり；そして
　Ｒ２は、親水性の部分（ｍｏｉｅｔｙ）である。）を有する、請求項１に記載の液体組成物。
【請求項５】　Ｒ１が、ステロール骨格（ｓｋｅｌｅｔｏｎ）；ソイステロール；フコステロール；ベータシトステロール；カンペステロール；スチグマステロール；コレステロール；ビタミンＥ；スクロースジステラート；グリセリルＣ８〜Ｃ５０エステル、エーテル、及びアミド；ソルビチルＣ８〜Ｃ５０エステル、エーテル、及びアミド；グルコースＣ８〜Ｃ５０のエステル、アミド、及びエーテルから成る群より選択される、請求項４に記載の液体組成物。
【請求項６】　Ｌが、エーテル、エステル、又はアミドである、請求項４に記載の液体組成物。
【請求項７】　Ｒ２が、カルボン酸塩；硫酸塩；又はリン酸塩である、請求項４に記載の液体組成物。
【請求項８】　前記界面活性剤が、Ｇｅｎｅｒｏｌ、コレステロール、及びビタミンＥからなる群より選択され、且つ、それらの親水基がカルボン酸塩、コハク酸塩、又はＰＥＧ３−１０００誘導体である、請求項４に記載の液体組成物。
【請求項９】　前記液体組成物がインクである、請求項１から８のいずれかに記載の液体組成物。
【請求項１０】　前記液体組成物が、固定化剤をさらに含有する反応流体である、請求項１から８のいずれかに記載の液体組成物。」
（以下、請求項の項番に従い、「本願発明１」〜「本願発明１０」といい、まとめて「本願発明」ということがある。）
　
ＩＩ．原査定の拒絶理由の概要
　
１．原査定の拒絶理由
　原査定における拒絶理由は、以下のとおりのものである。
「この出願については、平成１６年　２月２７日付け拒絶理由通知書に記載した理由２，３によって、拒絶をすべきものである。
　なお、意見書及び手続補正書の内容を検討したが、拒絶理由を覆すに足りる根拠が見いだせない。
備考
　出願人は意見書において、本願発明は所定の臨界充填パラメータによって構造が特定されたラメラ層を形成する界面活性剤を含むものであるから、改善された彩度等の性質を示すインクジェット流体組成物となるのに対し、引用文献１−３は単にビタミンＥ、コール酸等を含有するインクジェット流体組成物を示しているに過ぎず、彩度の改善等の効果を得る為に、臨界充填パラメータを特定することは記載も示唆もされていないから、本願の請求項１−９に係る発明は、引用文献１−３に記載された発明ではなく、また、本願の請求項１−１０に係る発明は、引用文献１−４に記載された発明に基いて容易に発明をすることができたものではないと主張している。
　しかしながら、出願人の主張は以下のとおり採用することができない。
　出願人が意見書で認めているように、引用文献１−３のインクジェット記録用インクには、ビタミンＥ、コール酸（胆汁酸）が含有されている。そして、本願の発明の詳細な説明【0013】-【0027】等には、本願所定の界面活性剤として、ビタミンＥ、コール酸（胆汁酸）が具体例として挙げられていることを勘案すると、「ビタミンＥ」、「コール酸（胆汁酸）」は、本願の請求項１で規定する「少なくとも１つのラメラを形成する界面活性剤」に相当すると認められ、その界面活性剤のラメラは、「約１／３から約１の範囲にある臨界充填パラメータ有する」と認められる。
　そうしてみると、引用文献１−３に記載されたインクジェット記録用インクと本願の請求項１に係るインクジェット流体組成物は、客観的にものとして区別することができない。
　加えて、同じ構成成分のインクジェット流体組成物であれば、そのインクジェット流体組成物が奏する効果に実質的な差異はないと考えられるから、引用文献１−３に記載されたインクジェット記録用インクも彩度を改善する等の効果を奏するものと認められる。
　そうしてみると、依然として本願の請求項１−９に係る発明と引用文献１−３に記載された発明とは相違しているとは認められず、また、本願の請求項１−１０に係る発明は、引用文献１−４に記載された発明に基いて容易に発明をすることができたものである。」
　
２．平成１６年２月２７日付け拒絶理由通知書における拒絶理由
　上記原査定で引用されている拒絶理由通知においては、以下の拒絶理由が含まれている。
「　　　　　　　　　　　　　理　由
・・（中略）・・
２．この出願の下記の請求項に係る発明は、その出願前日本国内又は外国において頒布された下記の刊行物に記載された発明であるから、特許法第２９条第１項第３号に該当し、特許を受けることができない。
３．この出願の下記の請求項に係る発明は、その出願前日本国内又は外国において頒布された下記の刊行物に記載された発明に基いて、その出願前にその発明の属する技術の分野における通常の知識を有する者が容易に発明をすることができたものであるから、特許法第２９条第２項の規定により特許を受けることができない。
　　　　　記　　　（引用文献等については引用文献等一覧参照）
・・（中略）・・
　　　　　　　　　　　　　 理由２，３
・請求項１〜１１
・引用文献１〜４
備考
　引用文献１の実施例には、ビタミンＥを含有するインクジェット用インクが記載され、引用文献２の実施例にはコール酸塩を含有するインクジェット用インクが記載され、引用文献３の実施例２には、デオキシコール酸を含有するインクジェット用インクが記載されている。
　更に無機塩等をインクジェット用インクに用いることは、通常行われていることにすぎない（例えば、引用文献４の【0016】等参照）。
　
（なお、発明の詳細な説明において、具体的に開示されているインクの組成が明らかではない。もし、本願発明が引用文献に記載の発明と比較して有利な効果を奏することを主張する場合には、本願発明のインクが具体的にどのような組成であるかを意見書や実験成績証明書等で明らかにする必要がある点に留意されたい。）
　
　　　　　　　　　　引　用　文　献　等　一　覧
１．欧州特許出願公開第８８１２７０号明細書
２．特開平０５−１９４８８８号公報
３．特開昭６３−１９９７８２号公報
４．特開平１０−２５０２１６号公報」
（以下、上記引用文献１〜４をそれぞれ「引用例１」〜「引用例４」という。）
　
ＩＩＩ．原査定の拒絶理由に係る検討
　
１．上記各引用例に記載された事項
　上記各引用例には、以下の事項がそれぞれ記載されている。
　
（１）引用例１
（なお、添付した括弧内の翻訳文は、当審の仮訳である。）
　
（１ａ）
「Field of the Invention
　
　The present invention relates to ink compositions and more particularly to liposome-based ink compositions for use in electronic printing systems. 」（第１欄第１行〜第７行）
（発明の属する技術分野
　本発明は、インク組成物、特に電子印刷システムで使用されるリポソームに基づいたインク組成物に関する。）
　
（１ｂ）
「Summary of the Invention
　
In one aspect of the invention, inventive ink compositions comprise liposome vesicles with water-insoluble dye or pigment contained therein. Although the liposome vesicles may be either unilamellar or multilamellar, unilamellar vesicles are preferred. One or more substantially water-insoluble dyes are enclosed in liposome vesicles that are stably dispersed in aqueous solution. The resulting ink compositions display superior print properties such as waterfastness, lightfastness, and image density, when compared with prior art formulations. In addition to their excellent print properties, the inventive ink compositions are extremely stable, surviving even a rigorous T-cycle experiment. 
　
In another aspect of the invention, methods for making stable liposome based ink compositions are provided. Briefly, substantially water-insoluble colorant particles are processed until an appropriate desired average particle size is reached. Subsequently, liposome forming materials are added, and using any suitable techniques, vesicles that encapsulate the insoluble colorant particles are formed. Additional post-formation steps may be undertaken to make vesicles that are relatively homogenous in size. 」（第１欄第５５行〜第２欄第２１行）
（本発明の概要
　この発明の１つの態様では、本発明のインク組成物は、水不溶性の染料又は顔料を含むリポソーム小胞を含む。リポソーム小胞は単層又は多層からなるものいずれでもかまわないが、単層のものが望ましい。本質的に水不溶性の１種以上の染料が、水性溶液の中で安定して分散するリポソーム小胞中に内包される。先行技術のものと比較した場合、得られたインク組成物は、耐水性、耐光性および複写濃度などの印刷特性を示す。それらの優れた印刷特性に加えて、過酷なＴ−サイクル試験にも耐えるほど、本発明のインク組成物は非常に安定している。
　本発明の別の態様では、安定したリポソームに基づいたインク組成物の製造方法が提供される。まず、適当な所望の平均粒子サイズに到達するまで、本質的に水不溶性の着色剤粒子は処理され、続いて、リポソーム形成材料が加えられ、適宜の技術により、水不溶性着色剤粒子がカプセル化された小胞が形成される。加えて後処理工程を行うことにより、比較的均一なサイズの小胞としてもよい。）
　
（１ｃ）
「Detailed Description of the Invention
　
　The present invention relates to novel ink compositions comprising liposome vesicles containing one or more substantially water-insoluble pigments or dyes therein. Unlike the prior art pigment-based ink compositions, the inventive compositions are cost-effective, stable, and generally do not display the typical problems associated with pigment-based ink compositions such as agglomeration. 」（第２欄第２３行〜第３２行）
（発明の詳細な記述
　本発明は、１つ以上の本質的に水不溶性の顔料又は染料を内包するリポソーム小胞を含む新しいインク組成物に関する。先行技術の顔料に基づいたインク組成物と異なり、本発明の組成物はコスト効率が良く、安定していて、凝塊形成のような顔料に基づいたインク組成物に関する典型的な問題がない。）
　
（１ｄ）
「Colorants
　
　As used in this disclosure, the terms insoluble colorant and colorant are used interchangeably and are intended to include any substantially water-insoluble coloring agent such as disperse dyes and pigments.」（第２欄第３４行〜第３９行）
（着色剤
　この開示の中で使用される、「不溶性着色剤」及び「着色剤」という用語は互換使用され、分散性染料及び顔料のような本質的に水不溶性の着色剤を含むものである。）
　
（１ｅ）
「Liposome Forming Material
　
　Liposome vesicles are well described in the literature, particularly in the context as drug delivery systems. Although other ingredients may be necessary for the proper formation of liposome vesicles, as used in this disclosure, the term liposome forming materials refers to the one or more primary components that actually comprise the liposome vesicles. 
　
　Briefly, the liposome forming materials typically have a polar end and a non-polar end, relative to each other. Driven by hydrophobic and Van der Waals forces, the molecules organize themselves into a bilayer, a sheet-like structure two molecules deep and oriented in such a way that each non-polar end interacts with another non-polar end and the polar ends are exposed to aqueous solution. In liposomes, these bilayers form sacs or vesicles containing an enclosed aqueous compartment. Unilamellar vesicles are formed from one such bilayer and multilamellar vesicles have multiple concentric bilayers. However, because unilamellar vesicles tend to encapsulate pigment particles more efficiently, they are preferred. 
　
　Because of their ease of formation, liposomes formed from tocopherol succinate (also known as vitamin E succinate) are particularly preferred. Generally, multilamellar vesicles may be formed simply by shaking a mixture containing a. vitamin E succinate and unilamellar vesicles may be formed by either sonicating a mixture containing multilamellar vesicles or by the use of a French press. When adapted for use in the present invention, particularly good results have been obtained using a combination of vitamin E succinate and an amine such as tris(hydroxymethyl) amino methane or 2-amino-ethyl-1,3 propane diol. ・・
　
　However, any suitable liposome forming material such as standard lipids may be used to make the liposome vesicles of the present invention. Illustrative examples of liposome forming materials include but are not limited to phosphatidycholines, phosphatidic acids, phosphatidylserines, phosphatidylethanolamines, sphingolipids, phosphatidylglycerols, sphingomyelins, cardiolipins, glycolipids, gangliosides, cholesterol, cerebrosides, polyethylene glycol esters and ethers of fatty acids, and mixtures thereof. Preferred compounds include soybean and egg yolk phosphatidylcholines.  」（第４欄第１行〜第４欄第４９行）
（リポソーム形成材料
　リポソーム小胞は、特にドラッグ・デリバリー・システムとしての技術分野の中で、文献によく述べられている。他の成分もリポソーム小胞の生成に必要かもしれないが、この開示の中で使用される用語「リポソーム形成材料」は現にリポソーム小胞を含む１つ以上の主成分を指す。
　概して、典型的なリポソーム形成材料は、互いに比べて、極性の末端及び無極性の末端を有する。疎水性および分子間力によって、分子は、無極性の末端がそれぞれ別の無極性の末端に向き、そして極性の末端がそれぞれ水溶液に向くように露出された２つの分子の厚みのシートのような構造の「二分子層」を形成する。リポソームの中には、これらの「二分子層」形式嚢あるいは小胞に囲まれた水のコンパートメントが含まれている。単層のラメラ小胞は、そのような二分子層又は多数の同心の二分子層を有する多層の小胞から形成される。しかしながら、単層のラメラ小胞は、顔料粒子をより効率的にカプセル化できる傾向があるので好ましい。
　生成の容易さのために、リポソームは、トコフェロール琥珀酸塩(ビタミンＥ琥珀酸塩としてよく知られている)から形成するのが特に好ましい。一般に、多層のラメラ小胞は、多層のラメラの小胞を含んでいる混合物を超音波で処理することにより、あるいはフレンチ・プレスの使用により形成されるビタミンＥ琥珀酸塩および単層のラメラ小胞を含んでいる混合物を単に振り混ぜることにより形成される。この発明において、ビタミンＥ琥珀酸塩とトリス(ヒドロキシメチル）アミノメタン又は２−アミノエチル−１，３プロパンジオールのようなアミンとのコンビネーションを使用した場合、特に好適な結果が得られた。
・・（中略）・・
　しかしながら、一般の脂質のようなリポソーム形成材料もこの発明のリポソーム小胞の製造において使用されてもよい。リポソーム形成材料の実例としては、ホスファチジ（ル）コリン、ホスファチジン酸、ホスファチジルセリン、ホスファチジルエタノールアミン、スフィンゴ脂質、ホスファチジルグリセロール、スフィンゴミエリン、カルディオリピン、糖脂質、ガングリオシード、コレステロール、セレブロシド、脂肪酸のポリエチレングリコール・エステルおよびエーテルが挙げられるが、これらに制限されない。大豆と卵の卵黄のホスファチジルコリンを含むものが好適である。）
　
（１ｆ）
「Properties of Inventive Ink Compositions
　
　The ink compositions of the present invention are generally suitable for use in ink jet printing. Typically, the ink viscosity is no more than about 5 centipoise and more preferably is between about 1 and 3 centipoise, although the value may be outside of these ranges. In addition, the surface tension of the final composition is typically between about 25 to about 60 dynes per centimeter, and more preferably between about 35 to about 50 dynes per centimeter. 」（第６欄第２１行〜第３１行）
（本発明のインク組成物の物性
　本発明のインク組成物は、インクジェット印刷で使用するに一般に適する。典型的には、インクの粘度は高々約５センチポアズで、より好ましくは約１〜３センチポアズの間にあるが、粘度の値はこれらの範囲外であっても構わない。さらに、最終組成物の表面張力は、典型的に、１センチメートル当たり、約25から約60ダインの間及びより好ましくは約35から約50ダインまでの間である。）
　
（１ｇ）
「EXAMPLE 1
　
General Protocol
　
　Colorants are ground until a desired average particle size reached using a microfluidizer and an appropriate grinding liquid. ・・
　Once the colorants are at the appropriate particle size, liposome forming materials (in solid form, if possible) are added to the mixture of colorant and grinding liquid. The grinding process is then allowed to continue for about 5 minutes to 1 hour until the resulting liposomes are approximately equal to or less than the critical size necessary for T-cycle stability. The critical size is a function of liposome composition and easily determined by performing T-cycle runs of liposomes with varying sizes. For example, vitamin E succinate systems have a critical size of approximately 140 nm and phosphatidylcholine systems have a critical size of approximately 170 nm. As a general rule, liposomes larger than their respective critical sizes do not form stable ink compositions as judged by T-cycle stability. 
　
　Ink compositions are prepared by filtering the liposomal mixture through a 1 micron filter and then adding sufficient amounts of water and/or other solvents to the desired concentration of liposomal materials and colorant. ・・」（第６欄第３９行〜第７欄第２１行）
（例１
一般的な方法
　着色剤は、microfluidizerおよび適切な研削液体を使用して達した希望の平均粒子サイズまで挽かれる。・・（中略）・・
　着色剤が適切な粒子サイズとなった後、(できれば、固体の)リポソーム形成材料を着色剤及び研削液体の混合物に添加する。その後、研削プロセスは、生じるリポソームがほぼＴ−サイクル安定に必要な臨界寸法以下となるまで、約５分から１時間の間継続する。臨界寸法はリポソーム組成物の機能に応じて、異なるサイズのリポソームのＴ−サイクル試験を行なうことにより容易に決定される。例えば、ビタミンＥ琥珀酸塩システムは、およそ１４０ｎｍの臨界寸法を有する。また、ホスファチジルコリン・システムはおよそ１７０ｎｍの臨界寸法を有する。概して、それぞれの臨界寸法より大きなリポソームはＴ−サイクル安定と判断されるほどの安定したインク組成物を形成しない。
　インク組成物は、リポソーム材料および着色剤が所望の濃度とするのに十分な量の水および（または）他の溶剤を加えたリポソーム混合物を１ミクロンのフィルタでろ過することにより製造される。・・（後略））
　
（１ｈ）
「EXAMPLE 4
　
Preparation of Black Ink
　
　A mixture of 36 g of Degussa FW 18 Carbon Black, 36.0 g DEG, 0.72 percent Proxel GXL as a biocide, and 233.9 g of deionized water was microfluidized from 15 minutes at 10,000 psi. Approximately 300 ml of a solution containing about 3.54 percent of vitamin E succinate and 0.82 percent of tris was added. The mixture was then microfluidized again until the average particle size reached approximately 124 nm and filtered through a 1 micron filter. 
　
　The resulting supernatant was used to prepare two different ink compositions. Composition A comprised: 4 percent DEG; 1 percent Triton CF21; 2.12 percent vitamin E carrier (carrier refers to mixture of tris and vitamin E succinate); 5 percent Carbon Black; and water making up the balance. The ink composition had a viscosity of 1.70 cps and a surface tension of 29.4 dynes/cm. 
　
　Composition B comprised: 4 percent DEG; 1 percent Triton CF21; 2 percent isopropanol; 2 percent glycerol; 2.12 percent vitamin E carrier; and water making up the balance. The ink composition had a viscosity of 2.0 cps and a surface tension of 29.4 dynes/cm. 
　
　Both Compositions A and B printed well on Hewlett Packard 600 series printers generating completely waterfast prints with good smear and lightfast properties. 」（第８欄第１３行〜第４０行）
（例４
黒色インクの製造
　３６ｇのデグサＦＷ１８カーボンブラック、３６．０ｇのＤＥＧ、殺生物剤としての０．７２パーセントのＰｒｏｘｅｌ　ＧＸＬおよび２３３．９ｇの脱イオン化された水の混合物は、１０，０００ｐｓｉで１５分から微細化される。およそ３００ｍｌの溶液に対して、ビタミンＥ琥珀酸塩の３．５４パーセントおよびトリスの０．８２パーセントを加えた。その後、その混合物は、平均粒子サイズがおよそ１２４ｎｍとなるまで再度微細化され、１ミクロンのフィルタによりろ過された。
　生じたろ液は２つの異なるインク組成物を製造するために使用した。組成物Ａは次のものを含む：４パーセントのＤＥＧ；１パーセントのトリトンＣＦ２１；２．１２パーセントのビタミンＥキャリアー（キャリアーは、トリスおよびビタミンＥ琥珀酸塩の混合物を指す）；５パーセントのカーボンブラック；残部の水。インク組成物は１．７０ｃｐｓの粘度および２９．４ダイン／ｃｍの表面張力を有する。
　組成物Ｂは次のものを含む：４パーセントのＤＥＧ；１パーセントのトリトンＣＦ２１；２パーセントのイソプロピルアルコール；２パーセントのグリセリン；２．１２パーセントのビタミンＥキャリアー；残部の水。インク組成物は２．０ｃｐｓの粘度および２９．４ダイン／ｃｍの表面張力を有する。
　組成物ＡおよびＢはいずれも、ヒューレット・パッカード６００シリーズ・プリンタにより、良好な塗布性及び耐光性の物性を備えた完全な耐水性の印刷を行うことができた。）
　
（１ｉ）
「Claims
　
1. An ink composition, comprising: 
　
liposome vesicles; 
at least one substantially water-insoluble colorant enclosed within the liposome vesicles; and, an aqueous solution, the liposome vesicles being stably dispersed in the aqueous solution. 
　
2. The ink composition as in claim 1 wherein the vesicles are formed from tocopherol succinate and an amine. 
・・
4. The ink composition as in claim 1 wherein the water-insoluble colorant is either a disperse dye or a pigment. 
・・
6. The ink composition as in claim 1 wherein the vesicles are formed from a lipid or a mixture of lipid selected from the group consisting of phosphatidycholines, phosphatidic acids, phosphatidylserines, phosphatidylethanolamines, sphingolipids, phosphatidylglycerols, sphingomyelins, cardiolipins, glycolipids, gangliosides, cholesterol, cerebrosides, tocopherol, and polyethylene glycol esters and ethers of fatty acids. 
　
7. The ink composition as in claim 1 wherein the aqueous solution includes a water-miscible organic solvent. 」（第８欄第４９行〜第９欄第３０行）
（クレーム
１．　次のものを含むインク組成物：
リポソーム小胞；
そのリポソーム小胞に内包された少なくとも１つの本質的に水不溶性の着色剤；そして、水溶液、リポソーム小胞は水溶液の中で安定して分散している。
２．　上記小胞が、トコフェロール琥珀酸塩及びアミンにより形成されているクレーム１のインク組成物。
・・（中略）・・
４．　上記水不溶性の着色剤が分散性染料及び顔料のいずれかであるクレーム１のインク組成物。
・・（中略）・・
６．　上記小胞が、脂質あるいはホスファチジ（ル）コリン、ホスファチジン酸、ホスファチジルセリン、ホスファチジルエタノールアミン、スフィンゴ脂質、ホスファチジルグリセロール、スフィンゴミエリン、カルディオリピン、糖脂質、ガングリオシード、コレステロール、セレブロシド、トコフェロール及び脂肪酸のポリエチレングリコール・エステルおよびエーテルから成る群から選ばれた脂質の混合物から形成されているクレーム１のインク組成物。
７．　上記水溶液が、水混和性の有機溶媒を含んでなるクレーム１のインク組成物。）
　
（２）引用例２
　
（２ａ）
「【請求項１】　熱インクジェットインクに約０．１〜３重量％の胆汁酸塩を添加することを特徴とする熱インクジェットインクにおけるコゲーションの減少方法。
　【請求項２】　ベヒクルと、少なくとも１つの染料と、約０．１〜３重量％の胆汁酸塩とからなることを特徴とする熱インクジェットインク。」（【特許請求の範囲】）
　
（２ｂ）
「【発明の目的】
　本発明は、コゲーションが減少し、したがって最低限の追加処理で、低コストの化学薬品を使用して、ペンの耐用寿命が長くなる結果を得ることのできるインクを開発することを目的とする。」（【００１１】）
　
（２ｃ）
「【実施例】
・・（中略）・・
　他の胆汁酸塩も、コゲーションを制御するために使用される。コール酸塩以外の他の塩の実例を、表１に列記する。胆汁酸塩の一般式は、化１に示される。
【表１】
    
    
　化１の式において、Ｒ１は、Ｏ−、ＮＨ−ＣＨ２−ＣＯＯ−およびＮＨ−（ＣＨ２）２−ＳＯ３−よりなる群から選ばれ、Ｒ２とＲ３は、それぞれＯＨおよびＨよりなる群から選ばれ、Ｒ４はＯＨである。
　胆汁酸塩に結合している陽イオンは、リチウム、カリウム、セシウム、ナトリウム、マグネシウム、マンガン、アンモニウム、第４級アンモニウム塩、例えばテトラメチルアンモニウム塩、テトラブチルアンモニウム塩などよりなる群から選ばれる。親水性が著しいという理由で、ナトリウムイオンとリチウムイオンが特に好ましい。
　胆汁酸塩の濃度は、約０．１〜３重量％、好ましくは約０．５重量％の範囲である。０．１重量％未満では、胆汁酸塩はコゲーションの制御に有効ではない。約３重量％より多く胆汁酸塩の濃度を増加させると、ペンの耐用寿命期間を通じて、コゲーション、あるいはインク滴体積のロールオフ（ｒｏｌｌ−ｏｆｆ）の緩和が著しく改善されなくなる。」（【００１３】〜【００２１】）
　
（３）引用例３
　
（３ａ）
「（１）像を形成する成分である水溶性色素と、該色素を溶解するための水性液媒体とを必須成分とするインクジェット用インクに於いて、分子量が１００以上であり、且つ内部に空孔を有する３次元構造を成す化合物を含有することを特徴とするインクジェット用インク。
（２）前記化合物の含有量が、インク全重量に対して０．１〜２０重量％の範囲にある特許請求の範囲第１項記載のインクジェット用インク。
（３）前記インクの２５℃における粘度が１５ｃＰ以下であり、表面張力が３５〜６５ｄｙｎｅ／ｃｍの範囲にある特許請求の範囲第１項記載のインクジェット用インク。」
（特許請求の範囲第１項〜第３項、第１頁左欄）
　
（３ｂ）
「［従来の技術］
　インクジエツト記録方式は、種々のインク吐出方式により、インク小滴（ｄｒｏｐｌｅｔ）を形成し、それらの１部若しくは全部を紙，加工紙，プラスチツクフイルム，織布等の被記録材に付着させて記録を行うものであり、このようなインクジエツト記録方式に使用するインクとしては、各種の染料または顔料を、水又は水と水溶性有機溶剤から成る液媒体に溶解又は分散させたものが知られ、且つ使用されている。
　このようなインクには被記録材との関係も含めて一般的に下記の如き性能が要求されている。
（１）滲みがなく、品位の良好な記録画像が得られること。
（２）インクの定着速度が速いこと。
（３）印字をしばらく中断した場合でも、プリンターのノズルを目詰まりさせないこと。
（４）プリンターの印字速度に合せたインクの吐出が可能な周波数応答性が良好なこと。
（５）インクの保存安定性が高いこと。
（６）安全性が高いこと。
（７）耐水性、耐光性等の印字物の耐久性が優れていること等。
上記の性能の一部、或いは全てを満足させるためにインク及び装置の両面からの精力的な検討がなされており、要求性能によってはかなりの効果が認められてきている。」
（第２頁左上欄第４行〜右上欄第１０行）
　
（３ｃ）
「そこで本発明の目的は、インクジエツト用に特別に調整された指定紙はもちろんのこと、被記録面に繊維が露呈し、更にはサイジングされている一般の普通紙、例えばコピー用紙、レポート用紙、ボンド紙、連続伝票用紙等に対しても定着速度が速く、しかも滲みの少ない印字が得られ、安全でインクの操作性の優れたインクジエツト用インク及びそれを用いたインクジエツト記録方法を提供することにある。」（第２頁右下欄第１２行〜第２０行）
　
（３ｄ）
「本発明に用いる分子量が１００以上であり、原子又は分子が結合してできた、内部に空孔を有する３次元構造を成す化合物、すなわちホスト化合物としては、例えばデオキシコール酸、ベルヒドロトリフエニレン、パリノマイシン系天然抗性物質、ハイドロキノン、ヒドロキシトリフエニルメタン、アセチレンジオール、各種ポリエーテル化合物、ナイジユリシン系天然抗性物質、フェニルウレアオリゴマー、パラシクロフアン等を挙げることができるが、もちろんこれらに限定されるものではない。」（第３頁左下欄第１９行〜右下欄第９行）
　
（３ｅ）
「実施例２
上記成分中、まずデオキシコール酸を０．１％水酸化ナトリウム水溶液でｐＨ１０に調整された水に溶解させ、次いで染料Ｃ．Ｉ．アシツドレツド３５を加えて撹拌し、さらにグリセリン、Ｎ−メチル−２−ピロリドンを加えて４０℃にて３時間撹拌した。
その後、ポアサイズ１μのフロロボアフイルター（商品名；住友電工（株）製）にて加圧濾過して本発明のインクジエツト用インク（Ｂ）を得た。」（第５頁右上欄第８行〜左下欄第１行）
　
２．当審の判断
　
（１）各引用例に記載された発明
　
ア．引用例１
　引用例１には、上記摘示（１ｉ）からみて、リポソーム小胞、当該リポソーム小胞に内包された水不溶性の着色剤及び水溶液を含むインク組成物が記載されており、当該リポソームがトコフェロール琥珀酸塩により形成されていること及び当該水不溶性の着色剤が分散性染料又は顔料であることも記載されている。
　また、引用例１には、上記摘示（１ｆ）からみて、当該インク組成物がインクジェット印刷で使用するのに適することも記載されている。
　さらに、引用例１には、上記摘示（１ｅ）からみて、トコフェロール琥珀酸塩がリポソーム形成材料であって、当該リポソーム形成材料は、極性末端と非極性末端を有するものであり、「二分子層」を形成し「ラメラ小胞」を形成するものであることも記載されているとともに、リポソーム形成材料としては、コレステロールのポリエチレングリコールエーテルなどの化合物が使用できることも記載されている。
　してみると、引用例１には、
「ラメラ小胞を形成するリポソーム形成材料を含有するインクジェット印刷用インク組成物」
に係る発明（以下、「引用例１記載の発明」という。）が記載されている。
　
イ．引用例２
　上記引用例２には、上記摘示（２ａ）からみて、「ベヒクルと、少なくとも１つの染料と、約０．１〜３重量％の胆汁酸塩とからなることを特徴とする熱インクジェットインク」が記載されており、さらに、上記摘示（２ｃ）からみて、当該「胆汁酸塩」につきデオキシコール酸塩などのコール酸塩以外の胆汁酸塩を使用することができることも記載されている。
　してみると、引用例２には、
「ベヒクルと、少なくとも１つの染料と、約０．１〜３重量％の胆汁酸塩とからなることを特徴とする熱インクジェットインク」
に係る発明（以下「引用例２記載の発明」という。）が記載されている。
　
ウ．引用例３
　上記引用例３には、上記摘示（３ａ）からみて、「像を形成する成分である水溶性色素と、該色素を溶解するための水性液媒体とを必須成分とするインクジェット用インクに於いて、分子量が１００以上であり、且つ内部に空孔を有する３次元構造を成す化合物を含有することを特徴とするインクジェット用インク」が記載されており、上記摘示（３ｄ）からみて、当該「分子量が１００以上であり、且つ内部に空孔を有する３次元構造を成す化合物」として、「デオキシコール酸塩」が使用できることも記載されている。
　してみると、引用例３には、
「像を形成する成分である水溶性色素と、該色素を溶解するための水性液媒体とを必須成分とするインクジェット用インクに於いて、デオキシコール酸塩などの分子量が１００以上であり、且つ内部に空孔を有する３次元構造を成す化合物を含有することを特徴とするインクジェット用インク」
に係る発明（以下「引用例３記載の発明」という。）が記載されている。
　
（２）各引用例記載の発明と本願発明１との対比・判断
　本願発明１と上記各引用例記載の発明につき、それぞれ対比し検討する。
　
ア．引用例１記載の発明との対比・検討
　
（ア−１）対比
　本願発明１と上記引用例１記載の発明とを対比すると、引用例１記載の発明における「ラメラ小胞を形成する」は、「ラメラ小胞」が本願発明１における「ラメラ」と同一構造であることが当業者に自明であるから、本願発明１における「ラメラを形成する」に相当する。
　そして、引用例１記載の発明における「リポソーム形成材料」は、その分子構造として「極性の末端及び無極性の末端を有する」ものであり（上記摘示（１ｅ）参照。）、親水性基と親油性基（疎水性基）とを有する界面活性剤の典型的な分子構造と同一のものといえるから、本願発明１における「界面活性剤」に相当するものである。
　また、引用例１記載の発明における「インクジェット印刷用インク組成物」は、インクジェット印刷用の流体組成物であることが当業者に自明であるから、本願発明１における「インクジェット流体組成物」に相当する。
　したがって、本願発明１と引用例１記載の発明とは、
「少なくとも１つのラメラを形成する界面活性剤を含むインクジェット流体組成物。」
に係る点で一致し、下記の点で一応相違するかに見える。
　
相違点１：界面活性剤につき、本願発明１では、「約１／３から約１の範囲にある臨界充填パラメータを有する」ものであるのに対し、引用例１記載の発明では、「臨界充填パラメータ」につき特定されていない点。
　
（ア−２）上記相違点１に係る検討
　上記相違点１につき検討する。
　引用例１には、「リポソーム形成材料」として「ビタミンＥ琥珀酸塩」を添加使用したインクジェット印刷用インク組成物が引用例１記載の発明における具体例として記載されている（上記摘示（１ｇ）及び（１ｈ）参照。）。
　しかるに、本願明細書には、約１／３から約１の範囲にある臨界充填パラメータを有する界面活性剤の具体例として、「ビタミンＥコハク酸塩」が挙げられている（【００１６】〜【００２７】参照。）。
　してみると、引用例１記載の発明に係る上記具体例のインク組成物は、本願発明に係る「界面活性剤」に相当する「リポソーム形成材料」として「ビタミンＥ琥珀酸塩」を添加使用したものであるから、「約１／３から約１の範囲にある臨界充填パラメータを有する界面活性剤」を含有するインク組成物であって、本願発明１に係る「インクジェット流体組成物」と組成物として実質的に同一であるものといわざるを得ない。
　したがって、上記相違点１は、実質的な相違ではない。
　
（ア−３）小括
　よって、本願発明１は、引用例１記載の発明と実質的に同一であり、引用例１に記載された発明であるといえる。
　
イ．引用例２記載の発明との対比・検討
　
（イ−１）対比
　本願発明１と上記引用例２記載の発明とを対比すると、引用例２記載の発明における「熱インクジェットインク」は、熱インクジェット印刷用の流体組成物であることが当業者に自明であるから、本願発明１における「インクジェット流体組成物」に相当する。
　したがって、本願発明１と引用例２記載の発明とは、
「インクジェット流体組成物。」
に係る点で一致し、下記の点で一応相違するかに見える。
　
相違点１’：本願発明１では、「少なくとも１つのラメラを形成する界面活性剤を含み、当該界面活性剤は約１／３から約１の範囲にある臨界充填パラメータを有する」のに対し、引用例１記載の発明では、「界面活性剤」の含有につき特定されていない点。
　
（イ−２）上記相違点１’に係る検討
　上記相違点１’につき検討する。
　引用例２には、「コール酸塩」及び「デオキシコール酸塩」などの「胆汁酸塩」を添加使用した熱インクジェットインクが具体例として記載されている（上記摘示（２ａ）及び（２ｃ）参照。）。
　しかるに、本願明細書には、約１／３から約１の範囲にある臨界充填パラメータを有しラメラを形成する界面活性剤の具体例として、「コール酸（胆汁酸）」が挙げられている（【００１２】〜【００２７】参照。）。
　してみると、引用例２記載の発明に係る上記「熱インクジェットインク」は、実質的に本願発明に係る「少なくとも１つのラメラを形成する界面活性剤を含み、当該界面活性剤は約１／３から約１の範囲にある臨界充填パラメータを有する」インクであって、本願発明１に係る「インクジェット流体組成物」と組成物として実質的に同一であるものといわざるを得ない。
　したがって、上記相違点１’は、実質的な相違ではない。
　
（イ−３）小括
　よって、本願発明１は、引用例２記載の発明と実質的に同一であり、引用例２に記載された発明であるといえる。
　
ウ．引用例３記載の発明との対比・検討
　
（ウ−１）対比
　本願発明１と上記引用例３記載の発明とを対比すると、引用例３記載の発明における「インクジェット用インク」は、インクジェット印刷用の流体組成物であることが当業者に自明であるから、本願発明１における「インクジェット流体組成物」に相当する。
　したがって、本願発明１と引用例３記載の発明とは、
「インクジェット流体組成物。」
に係る点で一致し、下記の点で一応相違するかに見える。
　
相違点１’’：本願発明１では、「少なくとも１つのラメラを形成する界面活性剤を含み、当該界面活性剤は約１／３から約１の範囲にある臨界充填パラメータを有する」のに対し、引用例３記載の発明では、「界面活性剤」の含有につき特定されていない点。
　
（ウ−２）上記相違点１’’に係る検討
　上記相違点１’’につき検討する。
　引用例３記載の発明では、当該発明の「インクジェット用インク」が「デオキシコール酸塩などの分子量が１００以上であり、且つ内部に空孔を有する３次元構造を成す化合物を含有する」ことが特定されている。
　しかるに、本願明細書には、約１／３から約１の範囲にある臨界充填パラメータを有しラメラを形成する界面活性剤の具体例として、「コール酸（胆汁酸）」が挙げられている（【００１２】〜【００２７】参照。）。
　ここで、「デオキシコール酸」は、上記（イ−２）でも説示したとおり、「胆汁酸」の一種であることが当業者に自明である。
　してみると、引用例３記載の発明に係る上記「インクジェット用インク」は、実質的に本願発明に係る「少なくとも１つのラメラを形成する界面活性剤を含み、当該界面活性剤は約１／３から約１の範囲にある臨界充填パラメータを有する」インクであって、本願発明１に係る「インクジェット流体組成物」と組成物として実質的に同一であるものといわざるを得ない。
　したがって、上記相違点１’’は、実質的な相違ではない。
　
（ウ−３）小括
　よって、本願発明１は、引用例３記載の発明と実質的に同一であり、引用例３に記載された発明であるといえる。
　
エ．本願発明１に係るまとめ
　以上のとおり、本願発明１は、上記引用例１、２又は３に記載された発明であるから、特許法第２９条第１項第３号の規定に該当するものである。
　
３．請求人の主張について
　なお、審判請求人は、平成１８年１１月１３日付け手続補正書（審判請求理由補充書）及び平成２０年１１月２７日付け回答書において、「本願発明が特許されるべき理由」などにつき主張しているが、いずれも、上記決定により却下された平成１８年９月２６日付け手続補正により補正された内容に基づくものであるから、根拠を欠くものであり、採用する余地がないものであって、上記２．の当審の検討結果を左右するものではない。
　
第４　まとめ
　以上のとおり、本願発明１は、特許法第２９条第１項第３号の規定に該当するものであり、同法同条同項の規定により特許を受けることができるものでないから、他の請求項に係る発明につき検討するまでもなく、本願は、特許法第４９条第２号の規定に該当し、拒絶すべきものである。
　よって、結論のとおり審決する。